(57)【要約】【課題】夜間でも除雪作業を容易に行える照明を備えた手動運搬除雪具を提供すること。【解決手段】バケット体１の左右両端部に、コ字状をなす柄杆２の左右の縦杆部20を付設して、この柄杆２をバケット体１の後端部からコ字状に突設した手動運搬除雪具において、前記バケット体１の後端部から突設状態に配設される前記左右の縦杆部20間に架設状態にして取付桟３を設け、この取付桟３に、電源とこの電源により発光する光源とを備えた照明部４を付設するか若しくは前記照明部４を取付し得る照明取付部５を付設して、この取付桟３に付設した照明部４若しくは照明取付部５を介して取付桟３に付設した照明部４の前記光源が少なくとも除雪作業場所を照らせるように構成する。【選択図】図１
2008163685.tif 000002
【特許請求の範囲】
【請求項１】
バケット体の左右両端部に、コ字状をなす柄杆の左右の縦杆部を付設して、この柄杆をバケット体の後端部からコ字状に突設した手動運搬除雪具において、前記バケット体の後端部から突設状態に配設される前記左右の縦杆部間に架設状態にして取付桟を設け、この取付桟に、電源とこの電源により発光する光源とを備えた照明部を付設するか若しくは前記照明部を取付し得る照明取付部を付設して、この取付桟に付設した照明部若しくは照明取付部を介して取付桟に設けた照明部が少なくとも除雪作業場所を照らせるように構成したことを特徴とする手動運搬除雪具。
【請求項２】
前記照明部若しくは前記照明取付部は、前記取付桟に対して掛止状態若しくは被嵌状態に付設し得るように構成したことを特徴とする請求項１記載の手動運搬除雪具。
【請求項３】
前記照明部若しくは前記照明取付部は、前記取付桟に対しこの取付桟の長さ方向に沿って横スライド移動可能に付設したことを特徴とする請求項１，２のいずれか１項に記載の手動運搬除雪具。
【請求項４】
前記取付桟は、前記左右の縦杆部に対しこの左右の縦杆部の長さ方向に沿って縦スライド移動可能に設けたことを特徴とする請求項１〜３のいずれか１項に記載の手動運搬除雪具。
【請求項５】
前記照明部の前記光源を角度調整可能に構成するか若しくは、前記取付桟に対して前記照明部若しくは照明取付部を角度調整可能に構成して、照明部の光源の光照射角度を調整変更し得るように構成したことを特徴とする請求項１〜６のいずれか１項に記載の手動運搬除雪具。
【発明の詳細な説明】
【技術分野】
【０００１】
本発明は、夜間においても除雪作業を行い易い手動運搬除雪具に関するものである。
【背景技術】
【０００２】
従来から、バケット体の左右両端部に、略コ字状をなす柄杆の左右の縦杆部を付設して、この柄杆をバケット体の後端部からコ字状に突設した構造の手動運搬除雪具（例えば、特許文献１参照。）が除雪作業に使用されており、この手動運搬除雪具によれば、スコップなどに比べてバケット体に多量の雪を掬い入れて運搬・排雪することができるので、便利である。
【０００３】
【特許文献１】特開２００３−２１３６４１号公報
【発明の開示】
【発明が解決しようとする課題】
【０００４】
例えば、共働きの家庭のように、日中に除雪作業が行えない事情の人も多く、このような事情の人々は、夜間に除雪作業を行っている。
【０００５】
しかし、暗い夜間は視界が悪いためになかなか作業が捗らない。
【０００６】
本発明は、このような現状に鑑み、夜間でも除雪作業を容易に行える照明を備えた手動運搬除雪具を提供するものである。
【課題を解決するための手段】
【０００７】
添付図面を参照して本発明の要旨を説明する。
【０００８】
バケット体１の左右両端部に、コ字状をなす柄杆２の左右の縦杆部20を付設して、この柄杆２をバケット体１の後端部からコ字状に突設した手動運搬除雪具において、前記バケット体１の後端部から突設状態に配設される前記左右の縦杆部20間に架設状態にして取付桟３を設け、この取付桟３に、電源とこの電源により発光する光源とを備えた照明部４を付設するか若しくは前記照明部４を取付し得る照明取付部５を付設して、この取付桟３に付設した照明部４若しくは照明取付部５を介して取付桟３に設けた照明部４が少なくとも除雪作業場所を照らせるように構成したことを特徴とする手動運搬除雪具に係るものである。
【０００９】
また、前記照明部４若しくは前記照明取付部５は、前記取付桟３に対して掛止状態若しくは被嵌状態に付設し得るように構成したことを特徴とする請求項１記載の手動運搬除雪具に係るものである。
【００１０】
また、前記照明部４若しくは前記照明取付部５は、前記取付桟３に対しこの取付桟３の長さ方向に沿って横スライド移動可能に付設したことを特徴とする請求項１，２のいずれか１項に記載の手動運搬除雪具に係るものである。
【００１１】
また、前記取付桟３は、前記左右の縦杆部20に対しこの左右の縦杆部20の長さ方向に沿って縦スライド移動可能に設けたことを特徴とする請求項１〜３のいずれか１項に記載の手動運搬除雪具に係るものである。
【００１２】
また、前記照明部４の前記光源を角度調整可能に構成するか若しくは、前記取付桟３に対して前記照明部４若しくは照明取付部５を角度調整可能に構成して、照明部４の光源の光照射角度を調整変更し得るように構成したことを特徴とする請求項１〜６のいずれか１項に記載の手動運搬除雪具に係るものである。
【発明の効果】
【００１３】
本発明は上述のように構成したから、照明部の発光により夜間でも除雪作業場所の視界を良好に確保できて除雪作業を効率良く行うことができるし、照明部の発光が作業者に近づく車両の運転者に視認されることで事故防止にも役立つ実用的な手動運搬除雪具となり、しかも、照明部若しくは照明取付部を、バケット体の後端部から突設状態に配設される左右の縦杆部間に架設した取付桟を介して配したことにより、この照明部若しくは照明取付部が横杆部の握持操作や収納時の邪魔にならないため、既存の製品と同等の秀れた操作性，収納性を発揮することとなり、その上、本発明の照明部は、例えば既成の懐中電灯などの携帯用照明具を用いることでも構成可能であるし、このような既成の照明具を取付可能な照明取付具を構成することも可能であるので、簡易に設計実現可能な構成であるなど、極めて実用性に秀れた画期的な手動運搬除雪具となる。
【００１４】
また、請求項２記載の発明においては、照明部若しくは照明取付部を取付桟に対して付設することが容易に可能となるので、実現化が容易で量産性に秀れる一層実用性に秀れた構成の手動運搬除雪具となる。
【００１５】
また、請求項３記載の発明においては、照明部を取付桟に対して横スライド移動させて光源の光照射方向を横方向に位置調整可能であるので、所望の場所を照らすことが容易に行われる一層実用性に秀れた構成の手動運搬除雪具となる。
【００１６】
また、請求項４記載の発明においては、照明部若しくは照明取付部を付設する取付桟を縦杆部に対して縦スライド移動させて光源の光照射方向を縦方向に位置調整可能であるので、所望の場所を照らすことが容易に行われると共に、取付桟を移動させて照明部のオン・オフ操作を柄杆の横杆部を握持した手で操作し易い位置に移動調整することも容易に可能となるなど、一層実用性に秀れた構成の手動運搬除雪具となる。
【００１７】
特に、請求項３記載の発明と請求項４記載の発明とを組み合わせた構成とすれば、照明部の位置調整範囲が著しく広くなるため、所望の場所を照らすことが一層容易に行われることなる。
【００１８】
また、請求項５記載の発明においては、照明部の光源若しくは照明部を角度調整して所望の場所を照らすことが可能となる一層実用性に秀れた構成の手動運搬除雪具となる。
【発明を実施するための最良の形態】
【００１９】
好適と考える本発明の実施形態（発明をどのように実施するか）を、図面に基づいて本発明の作用を示して簡単に説明する。
【００２０】
本発明の手動運搬除雪具は、バケット体１の後端部から突設状態に配設される左右の縦杆部20間に架設する取付桟３に付設された照明部４の光源、若しくは取付桟３に付設された照明取付部５に取付した照明部４の光源を電源により発光させて少なくとも除雪作業場所を照らすことができる。
【００２１】
そのため、夜間の除雪作業においても、照明部４の光源の発光によって視界を良好に確保でき、視界の悪い暗闇で除雪作業を行う場合と比べて目標の雪を効率良く除去できることとなるので、除雪作業が捗る。
【００２２】
また、左右の縦杆部20間に架設状態に設けた取付桟３に照明部４を配置したため、たとえ一個の光源でも左右の縦杆部20間からバケット体１先端側の除雪作業場所の広い範囲をまんべんなく照らすことができる。
【００２３】
また、照明部４若しくは照明取付部５を、除雪作業に際して握持操作する柄杆２の横杆部21に配置する構成でなく、左右の縦杆部20間に架設した取付桟３に付設したため、この照明部４若しくは照明取付部５が柄杆２の横杆部21の握持操作の邪魔にならず、既存の製品と同等の秀れた操作性を発揮することになる。
【００２４】
また、夜間の除雪作業中、照明部４の光源の発光が作業者に近づく車両の運転者に視認されることで事故防止にも役立つ。
【００２５】
また、例えば、取付桟３を横杆部21に近い位置に架設する構成とすることで、照明部４のオン・オフ操作も横杆部21を握持している手の手元で容易に行えることになるので、非常に実用的となる。
【００２６】
また、照明部４は、新造しても良いが、例えば後述する実施例の構成のように、電源と光源とを備えた既成の懐中電灯４Ｂやハンディータイプのライトなどの携帯用照明具を採用することでも構成可能で、実現化が容易である。更に、例えば、懐中電灯４Ｂなどを取付可能な照明取付部５を構成すれば、ユーザーが所有している懐中電灯４Ｂなどを流用することも可能になると共に、照明部４を省いてコストを抑えた製品を提供することも可能となる。
【００２７】
尚、照明部４は、柄杆２の横杆部21に設けても良いように考えられるが、このように構成すると、横杆部21の操作性を阻害する可能性があることに加えて、以下のような問題が生じる。
【００２８】
この種手動運搬除雪具は、横杆部21を適宜な壁面などに当接させて立て掛けて収納されることが多いが、照明部４若しくは照明取付部５が、握持操作する柄杆２の横杆部21に配置するような構成であると、照明部４若しくは照明取付部５が邪魔となって横杆部21を壁面などに安定良く当接させることができなくなってしまい、既存の製品に比して収納性に劣るものとなってしまう。
【００２９】
また、この収納時の問題点は、収納時に照明部４を横杆部21から取り外せるような構成であれば解消するようにも思えるが、取り外した照明部４を紛失し易くなるという新たな問題が生じてしまう。
【００３０】
この点、左右の縦杆部20間に取付桟３を架設してこの取付桟２に照明部４を配置した本発明によれば、収納時において横杆部21を従来通り壁面などに安定良く当接させて立て掛け収納できるので、既存の製品と同等の秀れた収納性を発揮することになるし、照明部４を取り外す必要がないので、照明部４紛失の心配もないというメリットがある。
【００３１】
また、左右の縦杆部20間に架設した取付桟３が補強桟として機能するので、強度の高い柄杆２を有する耐久性に秀れた手動運搬除雪具が実現する。
【実施例１】
【００３２】
本発明の具体的な実施例１について図１〜図５に基づいて説明する。
【００３３】
本実施例の手動運搬除雪具は、図１に示すように、バケット体１の左右両端部に、パイプ材を平面視コ字状に屈曲形成して成る柄杆２の左右の縦杆部20の遊離先端側部を付設して、このバケット体１の後端部に、柄杆２を平面視コ字状に突設すると共に、側面視で柄杆２をバケット体１の後端部から斜め上方へ向けて突設した構成としている。尚、請求項１中の「柄杆」なる記載は、無垢の杆材で構成されたものだけを意味するのではなく、本実施例のようにパイプ材で構成したものも含む意味合いで用いている。
【００３４】
また、本実施例では、少なくとも前記柄杆２の横杆部21の径寸法を、柄杆２の他の部位の径よりも径大に形成して径大握持杆部22に構成している。この径大握持杆部22は、径小な握持部に比して握り易く力を加え易い（力を入れて握ることができる）ので、力強く本手動運搬除雪具を操作できることになる。
【００３５】
具体的には、本実施例の径大握持杆部22は、図１に示すように横杆部21の全域から左右の縦杆部21の基部に至るまで設けて、作業者が好みの位置を握持操作できるように構成している。更に詳しくは、横杆部21の全域から左右の縦杆部21の基部に至るまでの柄杆２部位にパイプ状の被嵌体22Ａを被嵌固定することで、柄杆２より径大となる径大握持杆部22を形成している。この被嵌体22Ａは、例えば、ゴム製や木製や樹脂製のように、ある程度硬度があって簡単に凹み変形しない素材を採用すると、握持し易く好ましい。また、滑り止め作用を有する素材で構成したり、表面に滑り止め加工を施しても良い。
【００３６】
本実施例は、前記バケット体１の後端部から突設状態に配設される前記左右の縦杆部20間に架設状態にして取付桟３を設け、この取付桟３に、電源とこの電源により発光する光源とを備えた照明部４を付設して、この照明部４の前記光源が少なくとも除雪作業場所を照らせるように構成している。
【００３７】
具体的には、本実施例の取付桟３は、図２に示すように、前記左右の縦杆部20の間隔幅寸法に略合致する長さ寸法の例えば金属製や樹脂製の帯板材により構成し、両端部に左右の縦杆部20に被嵌固定する断面略Ｃ状の被嵌部30を設けている。
【００３８】
また、略Ｃ状の被嵌部30は、図２に示すようにその開放部に臨設する両端部30Ａを外方へ向けて互いに平行となるように突設すると共に、この両端部30Ａの夫々に貫通孔30Ｂを形成した構成とし、図３に示すようにこの被嵌部30を前記縦杆部20に被嵌（縦杆部20を被嵌部30に圧入）した上で、前記各貫通孔30Ｂに締付具６としてのネジ６Ａを挿通させ、一側の貫通孔30Ｂより突出するネジ６Ａ先端にナット６Ｂを螺着して締め付けすることにより、被嵌部30の径を狭めて縦杆部20に締め付け固定する構成としている。
【００３９】
また、この締付具６（ネジ６Ａとナット６Ｂ）の締め付けを緩めて被嵌部30の径を広くすることで、この被嵌部30を介して取付桟３を縦杆部20の長さ方向に沿って縦方向（上下方向）にスライド移動させることができ、これにより図１の矢印のように取付桟３の固定位置を上下方向に調整可能としている。
【００４０】
本実施例の照明部４は、小型の照明装置４Ａを採用している。
【００４１】
この照明装置４Ａを簡単に説明すると、薄板状で且つ平面視略直方体形状を呈する筐体40内に図示省略の電源（例えば乾電池）を収納し、また、筐体の長さ方向の一側端部（前側端部）に、例えば白熱電球やハロゲンランプやＬＥＤランプなどの小型ランプを採用した図示省略の光源を内装すると共に、その照射光を透過させる透明部41を筐体40の前側端部の周面に設けている。そして、前記電源と光源とを筐体40内で電気的に接続して、電源により光源が発光する構成としている。
【００４２】
また、前記光源は、前記筐体40の前側部に設けた光源取付部42に内装した構成とし、この光源取付部42は前記筐体40に対し３６０度回動自在に枢支して、筐体40に対し光源取付部42を回動操作することにより、光源の光照射角度を自由に起伏回動させて調整変更できるように構成している（図１，図５参照。）。
【００４３】
また、この光源取付部42を反転回動させて光源を後ろ向きにすると、電源供給がカットされて消灯し、この後ろ向きの状態以外の回動領域では電源供給がなされて光源が点灯するオン・オフスイッチ構造を有する構成としている。
【００４４】
この照明装置４Ａの前記取付桟３への付設構造は、閉じ付勢するフック７を前記筐体40の後側寄りの下面に付設し、このフック７を図５の矢印のように取付桟３に上方から掛止することで付設する構成としている。また、この際、前記光源が下向きに配されるように、フック７の筐体への取付状態を設定構成している。
【００４５】
また、このフック７は、閉じ付勢力を有しているために簡単に取付桟３から上方へ掛脱することはないが、このフック７の閉じ付勢力に抗して取付桟３に対しフック７を横スライド移動することができる構成としている。
【００４６】
また、取付桟３には、その長さ方向に間隔を置いて位置決め孔31を多数貫通形成し、この位置決め孔31に嵌合する位置決め突起43を前記照明装置４Ａの筐体40の下面に突設して、フック７を横スライド移動させて位置決め突起43を所望の位置決め孔31に嵌合することにより、照明装置４Ａの位置を取付桟３に対して位置決めできる構成としている。また、この位置決め孔31と位置決め突起43との嵌合により、取付桟３とフック７との掛止状態が良好に維持されて簡単に照明装置４Ａが取付桟３から掛脱しない構成としている。
【００４７】
このように構成した本実施例によれば、照明部４を取付桟３に対して左右横方向に動かすことも、取付桟３を介して上下縦方向に動かすこともでき、更に光源の照射角度を変更することもできるので、照明部４（照明装置４Ａ）の移動範囲が非常に広く、この照明部４の照射光で照らしたい場所を照らすことが容易に行われる。
【００４８】
また、除雪時に握持操作する前記柄杆２の横杆部21を握持した手で、照明部４のオン・オフ操作を行い易い位置に照明部４（取付桟３）を移動させることも容易に行われる。
【００４９】
尚、本実施例では、照明部４を取付桟３に一個付設した場合を示したが、複数個付設しても良い。
【実施例２】
【００５０】
本発明の具体的な実施例２について図６〜図９に基づいて説明する。
【００５１】
本実施例は、前記実施例１において、取付桟３の構成と、照明部４の構成と、照明部４の取付桟３への取付構造とを異ならせた場合である。
【００５２】
具体的には、本実施例の取付桟３は、二本の細い金属パイプ材を採用し、この二本の金属パイプ材の両端部を左右の縦杆部20に溶接固定することで、左右の縦杆部20間に架設している。また、この取付桟３を構成する二本の金属パイプ材は、図６に示すように、柄杆２の横杆部21に近付けて架設すると共に、左右の縦杆部20の長さ方向に間隔を置いて並設状態に架設した構成としている。
【００５３】
本実施例の照明部４は、既成の懐中電灯４Ｂを採用している。図中符号45はオン・オフスイッチである。
【００５４】
この懐中電灯４Ｂの取付桟３への付設構造は、この懐中電灯４Ｂを取付し得る照明取付部５を備え、この照明取付部５を二本の取付桟３に付設する構造としている。
【００５５】
具体的には、照明取付部５は、二本の取付桟３に付設する付設部５Ａと、懐中電灯４Ｂを着脱自在に取付する照明装着部５Ｂとから成り、この付設部５Ａと照明装着部５Ｂとを角度調整機構５Ｃを介して連結した構成としている。
【００５６】
本実施例の付設部５Ａは、図７，図９に示すように、二本の取付桟３を前後方向から挟持し得る二体の挟持半体50を調整ネジ51を介して連結すると共に、この調整ネジ51の締緩調整によって二体の挟持半体50の挟持間隔を広狭調整可能に構成し、更に、各挟持半体50の挟持内面に二本の取付桟３に被嵌合するガイド凹部50Ａを形成した構成としているもので、この二体の挟持半体50（の各ガイド凹部50Ａ）で二本の取付桟３を挟持して調整ネジ51を締付することで取付桟３へ挟持締付固定でき、且つ調整ネジ51を緩めて挟持半体50の挟持間隔を広げることで、図６の矢印のように、二本の取付桟３に沿ってこの挟持半体50（付設部５Ａ）を横スライド移動可能となる構成としている。
【００５７】
本実施例の照明装着部５Ｂは、図７，図８に示すように、前記懐中電灯４Ｂの柄部44を載置して抱持状態に支持可能な略ハーフパイプ形の支持体52に、この支持体52の左右端部間に掛け渡すようにして止めバンド53を取付した構成としている。
【００５８】
また、この止めバンド53の一端は、支持体52の左右いずれか一側の端部に固定状態とし、他端は、支持体52の他側の端部に着脱自在とすると共にこの止めバンド53他端の取付位置を変更可能な構成として、この止めバンド53他端の取付位置変更により、採用する（取付する）懐中電灯４Ｂの柄部44の径寸法に応じて止めバンド53の締付状態を調整し得るように構成している。
【００５９】
この止めバンド53の締付状態の調整構造について更に詳しく説明すると、止めバンド53の他端に、その長さ方向に間隔を置いて取付穴53Ａを複数（図面では二箇所）貫通形成する一方、この取付穴53Ａの穴径よりもやや径大な先端を有する取付ピン52Ａを支持体52の他側端部付近の外側面に突設した構成として、この取付穴53Ａに取付ピン52Ａを着脱自在に圧入する構造としている。
【００６０】
即ち、この取付穴53Ａと取付ピン52Ａとの着脱には抵抗があって簡単に着脱することができず、この抵抗に抗して取付穴53Ａと取付ピン52Ａとを着脱操作できる構成であって、除雪作業時においても懐中電灯４Ｂの装着状態が簡単に解除されることなく、良好に装着状態が維持されることになる構成としている。尚、図面では、符号は省略しているが止めバンド53の一端の固定構造も、他端の取付構造と同様の構成としている。
【００６１】
また、前記付設部５Ａを構成する前側の挟持半体50の上面（前面）に、コ字板状の軸受部54を突設する一方、前記照明装着部５Ｂを構成する支持体52の下面に、前記コ字板状の軸受部54間に配設する平板状の軸着部55を突設し、この軸受部54と軸着部55とに夫々軸孔56を貫通形成すると共に、この各軸孔56に軸ネジ57を挿通して挿通先端にナット58を螺着することで付設部５Ａと照明装着部５Ｂとを連結し、これにより図９に示すようにこの軸ネジ57を軸にして付設部５Ａに対し照明装着部５Ｂが起伏回動（角度調整）可能となり、且つ軸ネジ57とナット58とを締付することで、付設部５Ａに対する照明装着部５Ｂを所望角度に位置決めできる前記角度調整機構５Ｃを構成している。
【００６２】
尚、適宜な手段を加えることにより、締付操作することなしに照明装着部５Ｂを付設部５Ａに対し所望角度に維持（位置決め）できる角度調整機構５Ｃを構成しても良い。
【００６３】
従って、本実施例によれば、照明取付部５を介して懐中電灯４Ｂを取付桟３に沿って左右横方向に動かすことも、照明取付部５を介して懐中電灯４Ｂの光照射角度を変更することもできるので、懐中電灯４Ｂで照らしたい場所を照らすことが容易に行われる。
【００６４】
また、取付桟３を横杆部21に近付けて架設したことで、横杆部21を握持した手で懐中電灯４Ｂのオン・オフスイッチ45の操作を行い易い。
【００６５】
本実施例においても、照明部４を取付桟３に複数個付設しても良い。
【００６６】
他の構成は、前記実施例１と同様である。
【実施例３】
【００６７】
本発明の具体的な実施例３について図１０〜図１２に基づいて説明する。
【００６８】
本実施例は、前記実施例２において、取付桟３の構成と、照明取付部５の構成とを異ならせた場合である。
【００６９】
具体的には、本実施例の取付桟３は、柄杆２の径と同等の径を有する一本の金属パイプ材を採用し、この金属パイプ材の両端部を左右の縦杆部20に溶接固定することで、左右の縦杆部20間に架設している。
【００７０】
そして、本実施例の照明取付部５は、この一本の金属パイプで成る取付桟３に対応する付設部５Ａを備えた構成である。
【００７１】
即ち、本実施例の付設部５Ａは、取付桟３に被嵌する断面略Ｃ状の被嵌体59で構成している。
【００７２】
また、この略Ｃ状の被嵌体59は、図１０に示すようにその開放部に臨設する両端部59Ａを外方へ向けて互いに平行となるように突設すると共に、この両端部59Ａの夫々に貫通孔59Ｂを形成した構成とし、図１２に示すようにこの被嵌体59を前記取付桟３に被嵌（取付桟３を被嵌体59に圧入）した上で、前記各貫通孔59Ｂに締付具８としてのネジ８Ａを挿通させ、一側の貫通孔59Ｂより突出するネジ８Ａ先端にナット８Ｂを螺着して締め付けすることにより、被嵌体59の径を狭めて取付桟３に締め付け固定する構成としている。
【００７３】
また、この締付具８（ネジ８Ａとナット８Ｂ）の締め付けを緩めて被嵌体59の径を広くすることで、この被嵌体59を介して照明取付部５を取付桟３の長さ方向に沿って横方向（左右方向）にスライド移動させることができ、これにより図１０の矢印のように照明取付部５の固定位置を左右方向に調整可能としている。
【００７４】
また、被嵌体59の前記両端部59Ａの反対側の周面には、二枚の平板が間隔を置いて立設状態に対設する構成の軸受部54を突設している。この軸受部54は、前記実施例２で同符号を付した軸受部54と同等の機能を有するもので、この軸受部54に前記実施例２と同様の角度調整機構５Ｃを介して照明装着部５Ｂを連結している。
【００７５】
他の構成は、前記実施例２と同様である。
【００７６】
尚、本発明は、実施例１〜３に限られるものではなく、各構成要件の具体的構成は適宜設計し得るものである。
【図面の簡単な説明】
【００７７】
【図１】実施例１を示す斜視図である。
【図２】実施例１の取付桟と照明部とを示す分解斜視図である。
【図３】実施例１の取付桟の縦杆部への取付構造を示す部分拡大説明断面図である。
【図４】実施例１の照明部を取付桟へ掛止しようとする状態を示す説明分解側断面図である。
【図５】実施例１の照明部の取付桟への掛止状態を示す説明側断面図である。
【図６】実施例２を示す斜視図である。
【図７】実施例２の照明取付部と取付桟との関係を示した分解斜視図である。
【図８】実施例２の照明取付部の照明部を取付た状態における説明平面図である。
【図９】実施例２の照明取付部の照明部を取付た状態における説明側面図である。
【図１０】実施例３の要部を示す斜視図である。
【図１１】実施例３の照明取付部と取付桟との関係を示した分解斜視図である。
【図１２】実施例３の照明取付部の照明部を取付た状態における説明側面図である。
【符号の説明】
【００７８】
１  バケット体
２  柄杆
３  取付桟
４  照明部
５  照明取付部
20  縦杆部
【図１】
2008163685.tif 000003
【図２】
2008163685.tif 000004
【図３】
2008163685.tif 000005
【図４】
2008163685.tif 000006
【図５】
2008163685.tif 000007
【図６】
2008163685.tif 000008
【図７】
2008163685.tif 000009
【図８】
2008163685.tif 000010
【図９】
2008163685.tif 000011
【図１０】
2008163685.tif 000012
【図１１】
2008163685.tif 000013
【図１２】
2008163685.tif 000014